(57)【要約】【目的】  多面飾時計は多面に時刻表示がなされるので視認が多方面からなされる便がある。更に時間に関して有用な四面飾時計台を提供する。【構成】  本体１の周面の各面の上部には時刻表示をする。前面１ａと背面には、更に日付と曜日の表示、暦事の表示、温度、湿度の表示をする。左側面１ｃには当月のカレンダーを、右側面には来月のカレンダーを設ける。上面１ｅはタイムスイッチ８，９を設ける。上カバー１２内に湿度センサーを設ける。本体１は回転台１１上に回転可能に支持されている。自分の行動に関し時間をよく把握できる。【選択図】  図１
0003141349.tif 000002
【実用新案登録請求の範囲】
【請求項１】
四角柱の周面の夫々に時刻表示をされた四面飾時計台において、
時刻表示と当月の曜日を一覧とした暦日の表示を設けた面と、前記面に対向する面であって、時刻表示と翌月の曜日を一覧とした暦日の表示の設けた面と、時刻表示、本日及びその曜日の表示、暦事の表示及び温度並びに湿度の表示をした二面と、を周面とし、タイムスイッチの表示部及び操作部を設けた上面と、
を有する飾時計台本体と、
飾時計台本体を垂直な中心で回転自在に下方から支持する回転台と、
飾時計台本体の上面に開放可能に閉鎖固定され吊下げ用具を設けた上カバーと、
有することを特徴とする全面多目的飾時計台。
【請求項２】
上カバーは湿度センサーを内蔵し、該、湿度センサーのある空間に通ずる開口部を上カバーの裏面に設け、上カバーを閉鎖した状態において上カバーの裏面と飾時計本体の上面の間に隙間を設けたことを特徴とする請求項１に記載の全面多目的飾時計台。
【考案の詳細な説明】
【技術分野】
【０００１】
この考案は、四角柱の周囲の夫々に時刻表示されている全面多目的飾時計台に関する。
【背景技術】
【０００２】
置時計は通常一面に時刻表示をなすようになっている。表裏に夫々時刻表示をするようにした両面時計が種々提案されている。また、多角錘体、多角柱体の外周に夫々時刻表示をする多面時計が知られている。
【特許文献１】特開２０００−１２１７５１号公報
【特許文献２】特開平７−２６０９５２号公報
【特許文献３】実開昭６４−２５７０６号公報
【特許文献４】実開昭５９−１４０８５９号公報
【考案の開示】
【考案が解決しようとする課題】
【０００３】
特開２０００−１２１７５１号公報に記載の時計は三角錐の各面に設けた時刻を表わす文字盤の指針を一つのムーブメントで駆動している。
【０００４】
特開平７−２６０９５２号公報に記載の多面時計は四角柱の周面の３面に時計体を設けている。
【０００５】
実開昭６４−２５７０６号公報に記載の多面時間表示時計は四面柱の周面に夫々時間表示器を備えている。
【０００６】
上述した、各時計は周囲の何処から見ても時刻を知ることができる。しかし、日常生活では予定を立てたり、先の日付の行動の都合を知るためには暦日を知るためにはカレンダーが必要となる。そのため、時刻を見ると共にカレンダーを見るのに移動をしなければならないのが通常である。
【０００７】
実開昭５９−１４０８５９号公報には時計を備えたカレンダーが開示されている。この考案によれば、時刻とカレンダーをこれに対面する一方向から見ることができる。
【０００８】
しかし、日常生活の利便性から見ると部屋の何処かに時計が置かれていても、時刻、暦日を知りたいものである。
【０００９】
冬期は部屋の乾燥を防ぐため加湿器が用いられる。加湿器は湿度を表示するものがあるが、加湿器の置いてある周辺の湿度しか表示されない。冬期は暖房が行われるので温度上昇につれて相対湿度は低下する。そして、健康上推奨される温度と湿度の関係がある。例えば、２０℃で湿度６０％以上ではウイルスの生存は著しく困難となることが知られている。そこで、湿度と温度を表示することが要望されている。
【００１０】
後、何分で出かけなければならないとか、一定時間後にある状態を能動的に行わねばならないとするとタイマーが必要となる。また、料理にもタイマーを用いるのが適当な場合がある。
【００１１】
上記特許文献１から３に開示のものは時刻を多方面から見ることが出来るだけである。特許文献４では時刻と暦日を一方向から目視できるだけである。
【００１２】
この考案は時刻、暦日、湿度、温度を多方面から見て知ることができると共に限時手段を備えた全面多目的飾時計台を提供することを目的とする。
【課題を解決するための手段】
【００１３】
この出願の請求項１に係る考案は四角柱の周面の夫々に時刻表示をされた四面飾時計台において、
時刻表示と当月の曜日を一覧とした暦日の表示を設けた面と、前記面に対向する面であって、時刻表示と翌月の曜日を一覧とした暦日の表示を設けた面と、時刻表示、本日及びその曜日の表示、暦事の表示及び温度並びに湿度の表示をした二面と、を周面とし、タイムスイッチの表示部及び操作部を設けた上面と、
を有する飾時計台本体と、
飾時計台本体を垂直な中心で回転自在に下方から支持する回転台と、
飾時計台本体の上面に開放可能に閉鎖固定され吊下げ用具を設けた上カバーと、
有することを特徴とする全面多目的飾時計台である。
【００１４】
この出願の請求項２に係る考案は上カバーは湿度センサーを内蔵し、該、湿度センサーのある空間に通ずる開口部を上カバーの裏面に設け、上カバーを閉鎖した状態において上カバーの裏面と飾時計本体の上面の間に隙間を設けたことを特徴とする第１の考案に記載の全面多目的飾時計台である。
【考案の効果】
【００１５】
請求項１に係る考案によれば、部屋のどの位置に全面多目的飾時計台を置いた状態で、その部屋のどの位置にいる人にも時刻を視認でき、飾時計本体を回転台上で回転することにより暦日、温度、湿度を正視できる。タイムスイッチをセットすることにより、次に行うべき行動の開始時期を知ることができる。回転台があるので飾時計台本体の周面を最も見易い位置に向きを変更できる。吊下げ用具があるので、ひも、くさり等で吊り下げてインテリアとして用いることができる。
【００１６】
タイムスイッチにより出かける時間が分るので出かけ遅れや、出かけ忘れを防止できる。また、料理にも利用できる。
【００１７】
請求項２に係る考案によれば、上カバーの開放、閉鎖にかかわらず正確に湿度を検知できる。
【実施例】
【００１８】
以下、この考案の実施例を図面を用いて説明する。
【００１９】
図１は全体を示す斜視図、図２から図５は図１の飾時計台本体（以下本体という）１の周面を示し、図２は正面図、図３は背面図、図４は左側面図、図５は右側面図である。図６、図７，図８はこの考案の実施例の三面図を示し、図６は正面図、図７は平面図、図８は背面図である。
【００２０】
本体１は平面で見て正方形の直方体である。本体１の周面の前面１ａ、背面１ｂ、左側面１ｃ、右側面１ｄの上部には夫々時刻表示２がなされている。時刻表示２は図示のように午前を表わすＡＭ、午後を表わすＰＭの下に１１時３０分２５秒を１１：３０２５（２５は小文字）と表示されている。
【００２１】
本体１の対向する左側面と右側面１ｃ，１ｄには下方に全曜日を一覧とした月暦とした暦日の表示３がされている。周面の左側面１ｃの暦日の表示３は当月（１月）のもので上部に平成２０年西暦２００８年の１月、周面の右側面１ｄの暦日の表示３は上部に翌月（２月）の暦日の表示３と当年号と２月を左側面１ｃと同様に表示してある。
【００２２】
本体１の対向する前面と背面１ａ，１ｂには本日（１月１４日）の日付とその曜日（月曜日）４と干支（みずのとうし丑黄赤口）と旧暦の日付（旧７）、祭日（成人の日、休日）の暦事の表示５が上２欄に示され、その下欄には温度並びに湿度６が示され、最下欄には当年の年号表示７が２００８平成２０年と示されている。
【００２３】
上記本体１の前面１ａ、背面１ｂ、左側面１ｃ、右側面１ｄの各面の表示は液晶デイスプレイ、又は電光デイスプレイにより表示され、現在状態が示される。これらのデイスプレイのドライバは図示されないが本体１に設けられている。このドライバは本体内に設けたＣＰＵ、記憶装置を含む制御装置により駆動される。本体１の底部から内部には、上記各表示をリセットし、変更をするための操作部材、例えば、キーボード兼用のテンキーが設けられている。また、電源として本体１の底面から取替可能に電池が本体１内にセットされている。
【００２４】
図１に示すように本体１の上面１ｅにはタイムスイッチの表示部８とタイムスイッチの設定を行なう操作部として操作ボタン９が設けてある。操作ボタン９は時間設定ボタン９ａ、分設定ボタン９ｂ、秒設定ボタン９ｃ、リセットボタン９ｄを有する。表示部８は液晶又は電光表示である。本体１の上面１ｅ下には図示されない限時手段が設けてあり、この限時手段は操作ボタン９により限時設定され、表示部８に示される。
【００２５】
本例の本体１は平面で見て正方形をしている。本体を垂直な中心で回転自在に支持する回転台１１が設けてある。回転台１１は図７に示すように円板形である。図６、図８に示すように、回転台１１の中心には固定軸１１ａが立設されている。固定軸１１ａには本体１に設けた軸受穴１ｆが嵌合している。軸受穴１１ｆは行止まりの穴であり穴底は固定軸１１ａの頂面と接することにより、本体１は回転台１１に回転自在に支持されている。軸受穴１ｆは平面で見て本体１の図心に位置している。
【００２６】
本体１と回転台１１は固定軸１１ａの軸心方向に引き離すと、固定軸１１ａは軸受穴１１ｆから抜けて分離される。このとき、回転軸１１と軸受穴１１ｆとの間にボールノッチ装置を設けて、本体１を持ち上げても回転台１１は本体１に随伴して持ち上がるようにして、本体１と回転台１１を分離するのに手で力を加えるようにしてもよい（ボールノッチ装置は図示されない）。
【００２７】
図１に示すように、本体１の上面１ｅに開放可能に閉鎖固定される上カバー１２が設けてある。上カバー１２は本体１の上面１ｅと背面１ｂとの間の角１ｇ付近で丁番１３により本体１に枢着されており、角１ｇ付近を中心として本体１の上面１ｅを開閉する。丁番１３は後述する上カバー１２に設けた湿度センサーの信号を本体１へ送る導電体を兼ねている。即ち、丁番１３は金属等の導電体製である。本体１、上カバー１２は絶縁材、例えば絶縁性合成樹脂製である。
【００２８】
上カバー１２の開き端側の内面１２ｂ側にはうかしツメ１２ａが突出して円錐状に設けてある。上カバー１２を閉めると本体１の上面１ｅの周面を上方へ突出した回り縁１ｅ１にうかしツメ１２ａが当接する。従って、図６に示すように本体１の上面１ｅの回り縁１ｅ１と上カバー１２の内面１２ｂとの間には隙間ｇが生ずるようになっている。
【００２９】
上カバー１２の上面中心には吊下げ用具１４が固定して設けてある。吊下げ用具１４は例えば金属製であってアイボルトである。ただし、合成樹脂の吊下げ用具として合成樹脂の上カバー１２と一体成形してもよい。
【００３０】
図６、図７に示すように本体１の回り縁１ｅ１の内周１ｅ２には本体１の前面１ａ側に横方向に長い長溝となったストッパーハメコミ穴（以下、ハメコミ穴という）１ｅ３が設けてある。ハメコミ穴１ｅ３に出入自在な掛金１５ａを有する取手１５が設けてある。取手１５は上カバー１２に図７に示す矢印イの方向に移動自在に取り付けられている。即ち、上カバー１２に設けた直動の案内１２ｇに移動自在に嵌合しているスライド１５ｂに上カバー１２から上方に突出しているつまみ１５ｃが固定してある。つまみ１５ｃが移動する範囲では上カバー１２において上方に開口している凹部１２ｈとなっている。凹部１２ｈのスライド１５ｂの移動方向の両端部からは、スライド１５ｂが滑合している穴となっており、この穴は案内１２ｇの一部である。
【００３１】
図１に示すように図７に示す凹部１２ｈの底の一部から上カバー１２の内面１２ｂに向って貫通穴１２ｃが設けてある。掛金１５ａの根本は貫通穴１２ｃを挿通してスライド１５ｂに固定されている。
【００３２】
図７に示す状態では掛金１５ａがハメコミ穴１ｅ３に嵌合しており、上カバー１２は本体１に対してロックされていて開けない。つまみ１５ｃを持って図７において紙面に沿って上方へ向って取手１５を移動するとスライド１５ｂは案内１２ｇに案内されて図７の紙面上において上方に移動し、掛金１５ａはハメコミ穴１ｅ３から外れる。
【００３３】
本体１の上面１ｅを閉鎖した状態で先端が本体１からはみ出している上カバー１２の手掛け１２ｄを持ち上げると、上カバー１２は丁番１３を中心に回動して開き、上カバー１２が立った図１の姿勢で上カバー１２は図示されないストッパーで回動を止められると共に図示されないノッチ装置で立姿で上カバー１２は保持される。
【００３４】
上カバー１２を丁番１３を中心に回動して閉めるとうかしツメ１２ａが本体１の回り縁１ｅ１に当る。ここでつまみ１５ｃを持って図７において紙面に沿って下方へ取手１５を移動すると、掛金１５ａはハメコミ穴１ｅ３に嵌合して上カバー１２は本体１に対してロックされる。上カバー１２が閉った状態では上カバー１２と本体１との間には常に隙間ｇが保持されている。
【００３５】
図１に示すように上カバー１２の内面１２ｂには湿度センサー用開口部１２ｅが設けられてある。この開口部１２ｅは図示のように多数の長穴を並列したものである。上カバー１２の左右の側面（右側面は図示されない）には湿度センサー用開口部１２ｆが設けてある。開口部１２ｆは開口部１２ｅの位置と夫々対応して等間隔に設けてある。上カバー１２に設けた図示されない中空部の空間に対して各開口部１２ｅ，１２ｆがすぐ内側で開口している。従って、中空部内側から見た夫々の開口部１２ｅ，１２ｆは図１と同様な配列である。
【００３６】
上カバー１２内の上記中空部には図示されない湿度センサーが設けてあり、湿度センサーが検知した湿度信号は図示されない導線から丁番１３を経由して本体１内へ送られる。
【００３７】
図示されない温度センサーは本体１又は上カバー１２内に設けられる。
【００３８】
図９はこの考案の制御ブロック図である。クロック１６は中央演算処理装置（ＣＰＵ）１７にクロックパルスを常に送っている。ＣＰＵ１７はクロックパルスにより計時してメモリ１８から取り出された時刻、暦日、日付、暦事、年号の信号を時刻表示２、暦日の表示３、日付と曜日の表示４、暦事の表示５、年号表示７に図示されないドライバを介して送り表示する。また、温度センサー１９、湿度センサー２１が検出した温度、湿度は夫々Ａ／Ｄ変換器２２，２３でＡ／Ｄ変換されＣＰＵ１７に入力される。ＣＰＵ１７は図示されないドライバを介して温度、湿度の表示６をするデイスプレイを駆動する。
【００３９】
この考案の実施例によれば、部屋のどの場所に置いてもどの位置からも、本体の周面全部に時刻表示がなされているので時刻が分る。本体の正面と背面に年号表示がされており、本体の側面の暦日の表示中に年号が表示されているのでどこから見ても年号が分る。年号は年末、年始に切り替るようにしてあるので、日めくりとかカレンダーのように更新忘れということがない。
【００４０】
当月の暦日の表示のある左側面が見える状態にしておくと当月のカレンダーとなる。また、必要があるときは本体を半回転すると右側面が見え来月の暦日の表示を見ることができる。
【００４１】
また、今日が暦事の何に相当するか、旧暦の何日か、祝祭日か、干支の何に当るか、及び温度、湿度は正面、背面を見るように本体を回転すると分る。
【００４２】
後、何分で何かをしなければならないという場合、例えば、後３０分で外出しなければならないときはタイムスイッチの操作ボタンを操作して表示部に３０分と表示する。タイムスイッチは設定時間が来ると、警報を発する。警報は音、光等による。
【００４３】
現在温度、湿度が分るので健康管理に役立つ。
【図面の簡単な説明】
【００４４】
【図１】この考案の実施例の斜視図である。
【図２】この考案の実施例の正面の表示を示す正面図である。
【図３】この考案の実施例の背面の表示を示す背面図である。
【図４】この考案の実施例の左側面の表示を示す左側面図である。
【図５】この考案の実施例の右側面の表示を示す右側面図である。
【図６】この考案の実施例の正面図である。
【図７】この考案の実施例の平面図である。
【図８】この考案の実施例の背面図である。
【図９】この考案の実施例の制御ブロック図である。
【符号の説明】
【００４５】
１…本体  １ａ…前面  １ｂ…背面  １ｃ…左側面  １ｄ…右側面  １ｅ…上面  １ｅ１…回り縁  １ｅ２…内周  １ｅ３…ハメコミ穴  １ｆ…軸受穴  １ｇ…角
２…時刻表示  
３…暦日の表示
４…日付けと曜日  
５…暦事の表示
６…温度、湿度
７…年号表示
８…タイムスイッチの表示部
９…操作ボタン  ９ａ…時間設定ボタン  ９ｂ…分設定ボタン  ９ｃ…秒設定ボタン  ９ｄ…リセットボタン
１１…回転台  １１ａ…固定軸  １１ｆ…軸受穴
１２…上カバー  １２ａ…うかしツメ  １２ｂ…内面  １２ｃ…貫通穴  １２ｄ…手掛け  １２ｅ，１２ｆ…開口部  １２ｇ…案内  １２ｈ…凹部
１３…丁番
１４…吊下げ具
１５…取手  １５ａ…掛金  １５ｃ…つまみ
１６…クロック
１７…ＣＰＵ
１８…メモリ
１９…温度センサー
２１…湿度センサー
２２，２３…Ａ／Ｄ変換器
ｇ…隙間
【図１】
0003141349.tif 000003
【図２】
0003141349.tif 000004
【図３】
0003141349.tif 000005
【図４】
0003141349.tif 000006
【図５】
0003141349.tif 000007
【図６】
0003141349.tif 000008
【図７】
0003141349.tif 000009
【図８】
0003141349.tif 000010
【図９】
0003141349.tif 000011